(57)【特許請求の範囲】
【請求項１】
複数の光ケーブル心線を内包した光ケーブルのうち、所定の光ケーブル心線を分配して接続するコネクタ収納ケースにおいて、
前記コネクタ収納ケースは、
分配するための分配光ケーブル心線の各心線の許容曲率半径を確保して該分配光ケーブルの各心線をガイドする心線ガイド部を有する単一の分配光ケーブル心線受部と、
分配しない非分配光ケーブル心線の許容曲率半径を確保して該非分配光ケーブル心線を収納し前記コネクタ収納ケースに設けられたヒンジ部により回動可能に連結されて前記分配光ケーブル心線受部に積層される単一の非分配光ケーブル心線収納部材と、
前記コネクタ収納ケースの側壁のうちの１つの面にドロップ光ケーブル引き込み口を有し前記分配光ケーブル心線の各心線に接続されるコネクタを収納するためのコネクタ収納部と、
が設けられ、
前記分配光ケーブル心線受部では、外部から引き込まれた前記光ケーブル内の複数の光ケーブル心線のうち、分配するための前記分配光ケーブル心線を所定の位置で切断し、各分配光ケーブル心線を該分配光ケーブル心線受部の各心線ガイド部に沿わせて敷設し、各分配光ケーブル心線の端部を前記コネクタ収納部に備えられた各コネクタに接続するとともに、
前記非分配光ケーブル心線収納部材では、前記非分配光ケーブル心線の各心線の一群をループ状に保持して該非分配光ケーブル心線収納部材に収納すること
を特徴とした光ケーブル用コネクタ収納ケース。
【請求項２】
前記分配光ケーブル心線受部には、前記分配光ケーブル心線の余長を掛け留めて収納する分配光ケーブル心線余長収納部が設けられていることを特徴とした請求項１に記載の光ケーブル用コネクタ収納ケース。
【請求項３】
前記非分配光ケーブル心線収納部材の上面には、収納された前記非分配光ケーブル心線が該非分配光ケーブル心線収納部材から飛散することを防止するための保護シートが設けられていることを特徴とした請求項１又は２に記載の光ケーブル用コネクタ収納ケース。
【発明の詳細な説明】
【技術分野】
【０００１】
本発明は、ビル等の建物に複数の光ケーブル心線を内包した光通信ケーブルを敷設して分配する際に、所定の光ケーブル心線を分配して接続するコネクタ収納ケースにおいて、収納ケースの構造と配線形態とにより外観形状を小型化した光ケーブル用コネクタ収納ケースに関するものである。
【背景技術】
【０００２】
従来、光通信ケーブルが敷設されたビル等の建築物では、図１０（ａ），（ｂ）に示すように、複数本の光ファイバ心線３を収容した光ケーブル１が引き込まれ、管理室等に分岐接続箱２を設け、分岐接続箱２内にて光ケーブル１の光ファイバ心線を細分化した分岐光ファイバ心線３ａを余長収納部４等を介し各サービスエリアに分配している。余長収納部４には光ファイバ心線３ａの余長部を一定の曲率半径を保って収納する心線ガイド部５が備えられたトレイ４ａが設けられている。余長収納部４のトレイ４ａは、複数の光ファイバ心線３に対応できるように複数設けられ、各トレイ４ａから光ファイバ心線３ａを光アクセス装置６に接続して複数のサービスエリアに光通信サービスを提供している。（例えば、特許文献１参照）
【０００３】
また、特許文献２のように、光ケーブルを各心線に分配して接続するコネクタ収納ケースが、前記光ケーブルの各心線の許容曲率半径を確保して該光ケーブルの各心線を受ける心線受部と該心線受部からの各心線を受ける余長収納部とが蝶番で接続されて、該余長収納部を箱構造の該心線受部の上に積層した構造であり、該箱構造の該心線受部の一側壁にコネクタ収納部が設けられ、かつ前記余長収納部は余長受部と該余長受部に設けた複数枚の保持シートとで形成されており、前記心線受部では、外部から該心線受部に引き込まれた前記各心線の一群を前記心線受部の心線ガイド部の外周側に順方向に掛け渡し、かつ外部から該心線受部に引き込まれる前記各心線の他の群を前記心線受部の心線ガイド部にＳ字状に掛け渡した後逆方向に掛け渡して受け、前記心線受部で受けた各心線をそれぞれ左右均等に二群に分配して前記余長収納部に送り込み、前記心線受部からの各心線を前記保持シートのそれぞれにループ状に保持して収納し、該保持シートに収納した該各心線が、前記二群に分配された状態を維持したまま再び前記心線受部に各群が左側および右側からそれぞれ送り込まれた後、該各心線の端部を前記コネクタ収納部の各ソケットに接続したコネクタ収納ケースが開示されている。
【先行技術文献】
【特許文献】
【０００４】
【特許文献１】特開２００１−０５１１３０号公報（明細書段落〔００２２〕〜〔００２５〕，図面図２，図３）
【特許文献２】特許第４７４５０１８号公報
【発明の概要】
【発明が解決しようとする課題】
【０００５】
しかしながら、特許文献１の発明では、一本の光ファイバ心線に対して一個のトレイが必要であり、多数のサービスエリアをカバーするには、分岐光ファイバ心線の本数を増大させる必要があり、余長収納部のトレイの個数も増加することになり、その結果、分岐接続箱の形状が大きくなる欠点があった。また、形状の大きな分岐接続箱を建築物内の管理室等に設置するのは困難な面もあり、殊に既設の建築物の管理室等にはスペース的に余裕がなく、管理室等に分岐接続箱を設置するには可能な限り小型であることが望ましい。また、多数の分岐光ファイバ心線を束ねて配線した場合、施工が煩雑になり、保守点検にも煩わしいといった欠点があった。
【０００６】
また、特許文献２の発明では、光ファイバ心線の余長部分を各々保持シートに収納することによって整理しやすく収納ケースもコンパクトに構成されているが、分配済みの光ファイバ心線と、分配していない光ファイバ心線との区別が付きにくく、一度分配作業をした後、新たに光ファイバ心線を分配する必要が出た場合、どの心線が使用できるのかが分かりづらいという欠点があった。
【０００７】
本発明は上述のような課題に鑑みなされたものであり、外観形状を小型化することができ、しかも光ファイバ心線の配線形態が整理し易く、分配するための分配光ケーブル心線と分配しない非分配光ケーブル心線とを別々に収納整理することによって、施工及び保守点検作業が容易となり、追加の分配作業でも非常に簡便に作業を執り行える光ケーブル用コネクタ収納ケースを提供することを目的とするものである。
【課題を解決するための手段】
【０００８】
本発明は、上記課題を解決したものであって、請求項１の発明は、複数の光ケーブル心線を内包した光ケーブルのうち、所定の光ケーブル心線を分配して接続するコネクタ収納ケースにおいて、前記コネクタ収納ケースは、分配するための分配光ケーブル心線の各心線の許容曲率半径を確保して該分配光ケーブルの各心線をガイドする心線ガイド部を有する単一の分配光ケーブル心線受部と、分配しない非分配光ケーブル心線の許容曲率半径を確保して該非分配光ケーブル心線を収納し前記コネクタ収納ケースに設けられたヒンジ部により回動可能に連結されて前記分配光ケーブル心線受部に積層される単一の非分配光ケーブル心線収納部材と、前記コネクタ収納ケースの側壁のうちの１つの面にドロップ光ケーブル引き込み口を有し前記分配光ケーブル心線の各心線に接続されるコネクタを収納するためのコネクタ収納部と、が設けられ、前記分配光ケーブル心線受部では、外部から引き込まれた前記光ケーブル内の複数の光ケーブル心線のうち、分配するための前記分配光ケーブル心線を所定の位置で切断し、各分配光ケーブル心線を該分配光ケーブル心線受部の各心線ガイド部に沿わせて敷設し、各分配光ケーブル心線の端部を前記コネクタ収納部に備えられた各コネクタに接続するとともに、前記非分配光ケーブル心線収納部材では、前記非分配光ケーブル心線の各心線の一群をループ状に保持して該非分配光ケーブル心線収納部材に収納することを特徴としている。
【００１０】
また、請求項２の発明は、前記分配光ケーブル心線受部には、前記分配光ケーブル心線の余長を掛け留めて収納する分配光ケーブル心線余長収納部が設けられていることを特徴とした請求項１に記載の光ケーブル用コネクタ収納ケースである。
【００１１】
また、請求項３の発明は、前記非分配光ケーブル心線収納部材の上面には、収納された前記非分配光ケーブル心線が該非分配光ケーブル心線収納部材から飛散することを防止するための保護シートが設けられていることを特徴とした請求項１又は２に記載の光ケーブル用コネクタ収納ケースである。
【発明の効果】
【００１２】
請求項１の発明では、多数の心線（光ファイバ心線）が小型のケース内に集約されて収納され、しかも各心線が許容範囲内の曲率半径内に収まって、各心線の端部が各ソケットに接続されて収納される利点があり、心線の曲げ損失を少なくし、かつ心線の許容曲率半径を超える曲げにより微細な傷が発生するのを抑えて心線自体の寿命を低下させない利点がある。
【００１３】
また、本発明のコネクタ収納ケースは、分配する光ケーブル心線と、分配しない光ケーブル心線を別々に収納するので、光ケーブル心線の分岐作業が非常に簡便に行うことができる利点がある。
【００１４】
さらに、光ケーブル心線の敷設後に新たに光ケーブル心線を分配しなければならなくなった場合、予め分配された心線と、分配されていない心線が別々に収納されているため、作業の度に分配していない心線を探す必要が無く作業効率が飛躍的に向上する利点がある。
【００１５】
またさらに、非分配光ケーブル心線をひとまとめにまとめて非分配光ケーブル心線収納部材に収納して、分配光ケーブル心線受部に積層する構成となっているので、コネクタ収納ケースを非常にコンパクトに構成することができる。
【００１６】
また、非分配光ケーブル心線収納部材にヒンジ部が設けられてコネクタ収納ケースに回動可能に連結されて非分配光ケーブル心線収納部材が心線受部に積層されているので、非分配光ケーブル心線収納部材を回動するだけで分配する光ケーブル心線と分配しない光ケーブル心線の選別作業が簡便に行える。
【００１７】
また、非分配光ケーブル心線収納部材が所定の位置を回動することによって、非分配光ケーブル心線を収納する際に、一度心線に不要な力が加わらないように収納すれば、それ以降非分配光ケーブル心線収納部材を回動して開閉しても光ケーブル心線に力が加わることが少なくなるので光ケーブル心線を保護することができる。
【００１８】
請求項２の発明では、分配光ケーブル心線の余長を掛け留める分配光ケーブル心線余長収納部が設けられているので、心線の整理がし易く、また、コネクタ収納ケースもコンパクトに構成することができる。
【００１９】
請求項３の発明では、非分配光ケーブル心線収納部材の上面に保護シートが設けられているので、保守などの作業時に非分配光ケーブル心線収納部材を動かしても収納してある非分配光ケーブル心線が不意に飛び出てくることを防止できるため心線を傷める心配が無く作業効率を向上することができる。
【図面の簡単な説明】
【００２０】
【図１】本発明の光ケーブル用コネクタ収納ケースの一実施形態のうち蓋体を取り外した状態の正面図である。
【図２】本実施形態のケース本体であり、（ａ）はそのケース正面図、（ｂ）はそのコネクタ側の左側面図、（ｃ）は右側面図、（ｄ）は平面図、（ｅ）は底面図、（ｆ）は背面図である。
【図３】本実施形態における非分配光ケーブル心線収納部材であり、（ａ）はその正面図、（ｂ）は左側面図、（ｃ）は右側面図、（ｄ）は平面図、（ｅ）は底面図、（ｆ）は背面図、（ｇ）はＡ−Ａ断面図である。
【図４】本実施形態における保護シートの正面図である。
【図５】本発明の光ケーブル用コネクタ収納ケースの蓋体であり、（ａ）はその正面図、（ｂ）は左側面図、（ｃ）は右側面図、（ｄ）は平面図、（ｅ）は底面図、（ｆ）は背面図である。
【図６】本実施形態における光ケーブル用コネクタ収納ケースに屋外等に設置する際の収納トレイを装着した図である。
【図７】本実施形態における光ケーブル用コネクタ収納ケースにおいて光ケーブル終端で使用した場合の光ケーブル心線を配線した状態図である。（ａ）は分配光ケーブル心線を配線した状態、（ｂ）は非分配光ケーブル心線を配線した状態を示す。
【図８】本実施形態における光ケーブル用コネクタ収納ケースにおいて光ケーブル中間部で使用した場合の非分配光ケーブル心線の配線作業状態図である。
【図９】図８の非分配光ケーブル心線の配線状態から、分配光ケーブル心線を引き出し配線する作業状態図である。
【図１０】（ａ）は従来の光ケーブルの分岐接続箱の斜視図を示し、（ｂ）は従来の余長収納部のトレイを示す図である。
【発明を実施するための形態】
【００２１】
以下、本発明に係る光ケーブル用コネクタ収納ケースについて、図面を参照して説明する。先ず、図１を参照し、本実施形態のコネクタ収納ケースについて説明する。図１はコネクタ収納ケース１０の正面図であり、箱形状のケース本体２０と、非分配光ケーブル心線収納部材４０がヒンジにより回動可能に積層されてケース本体２０内に納まるように取り付けられたものである。コネクタ収納ケース１０には図１では図示しない保護シート５０（図４参照）が非分配光ケーブル心線収納部材４０の上面に取り付けられ、蓋体５１（図５参照）が本体２０に嵌合されている。
【００２２】
本実施例で使用される光ケーブルＡは断面形状矩形で内部に非固定の光ケーブル心線が収納された光ケーブルであり、外被の一部にテンションメンバが２本内蔵されている形状の光ケーブルを使用している。しかしこれに限らず断面形状が円形等の光ケーブルを使用しても良い。
【００２３】
本実施例のコネクタ収納ケース１０は、主に光ケーブル敷設の終端での光ケーブル心線を分配する際に使用することに好適であり、ケース本体２０に設けられた光ケーブル把持部２４に光ケーブルＡを引き込んで把持し、光ケーブルＡから分配するための分配光ケーブル心線Ｂを引き出し、分配光ケーブル心線受部２１を引き回して分配光ケーブル心線ガイド部２２で各分配光ケーブル心線Ｂをガイドしてコネクタ収納部３０の図示しないコネクタに各々接続される。
分配しない非分配光ケーブル心線Ｃはケース本体２０内を引き回したのち積層された非分配光ケーブル心線収納部材４０の開口部４２より非分配光ケーブル心線収納部材４０内に引き回されて収納される。これによって、使用中の光ケーブル心線と未使用の光ケーブル心線を明確に分離することができるので、管理が簡便になるし、新たに光ケーブル心線を分配する際にも非分配光ケーブル心線収納部材４０に収納されている光ケーブル心線を使用すれば良いので作業の効率化に貢献することができる。
また、積層された非分配光ケーブル心線収納部材４０はケース本体２０内に納まる形状となっているため非常にコンパクトになり、設置の際に邪魔となることが無い。
【００２４】
次に、本実施形態について、図２を参照してケース本体２０の構造について説明する。
ケース本体２０は箱形状であり、光ケーブルＡから引き出された光ケーブル心線を受ける光ケーブル心線受部２１と、分配光ケーブル心線Ｂの許容曲率半径を確保して各分配光ケーブル心線Ｂをガイドする分配光ケーブル心線ガイド部２２と、各分配光ケーブル心線Ｂに接続される複数のコネクタを収納するコネクタ収納部３０が設けられている。
【００２５】
分配光ケーブル心線ガイド部２２は、各分配光ケーブル心線Ｂがコネクタ収納部３０に収納される各々のコネクタに各心線の許容曲率半径を確保し、スムーズに配線できるように設けられている。例えば、ガイド部２２ａのように外周が緩やかなＲ形状となっており、この外周部分で分配光ケーブル心線Ｂを誘導し、許容曲率半径を確保している。また、光ケーブル把持部２４に近いガイド部２２ｄはガイド部２２ａのＲ形状より若干短くなっており、心線の曲率に無理がないように配慮されている。
【００２６】
光ケーブル心線受部２１には楕円形状の光ケーブル心線余長収納部２３が２箇所並んで突設されており、分配光ケーブル心線Ｂの余長部分を巻き取れる構造となっている。なお、分配光ケーブル心線余長収納部２３は上部に非分配光ケーブル心線収納部材４０が積層されるため、その邪魔にならない高さになっている。
また、光ケーブル心線受部２１にはヒンジ受部２５が設けられ、非分配光ケーブル心線収納部材４０を回動可能に積層取り付けできる構造となっている。
さらに、ケース本体２０の左右側面には光ケーブルＡを引き込み把持する光ケーブル把持部２４が設けられている。左右側面に光ケーブル把持部２４が設けられているため、コネクタ収納ケース１０の設置場所、設置方向により光ケーブルＡを引き込む位置を変更することができる。また、場合によっては光ケーブルの終端での分配だけでなく、中間地点での心線の分配もすることができ、その場合、左右両方の把持部に光ケーブルを把持させて、分配部分の外被を取り除くことにより簡易的なクロージャとしての機能も備えている。
また、コネクタ収納部３０の側壁にはドロップ光ケーブル等を引き込んで各コネクタに接続するための引き込み口３１が設けられている。
また、ケース本体２０各部には、心線を把持するための舌片部２６が設けられていて、心線が不要に移動しないように把持することができる。
なお、ケース本体２０の上面には図５の蓋体６０が嵌合される。
【００２７】
次に、図３の非分配光ケーブル心線収納部材４０について説明する。非分配光ケーブル心線収納部材４０は略楕円形状のトレイとなっており、楕円部分は心線の許容曲率半径を確保できる形状となっている。非分配光ケーブル心線収納部材４０の側壁にはケース本体２０と回動可能に取り付けられるためのヒンジ部４１が設けられている。また、非分配光ケーブル心線収納部材４０はケース本体２０に積層されて、下部から上部の非分配光ケーブル心線収納部材４０へ分配しない非分配光ケーブル心線Ｃを引き込む構造となっている。そのため、開口部４２が設けられて、スムーズに引き込むことを可能としている。
【００２８】
さらに、楕円形状の非分配光ケーブル心線受部４３が２箇所並んで突設されており、非分配光ケーブル心線Ｃを巻き取れる構造となっている。さらに、各部には、心線を把持するための舌片部４４が設けられていて、心線が不要に移動しないように把持することができる。
【００２９】
次に、図４の保護シート５０について説明する。保護シート５０は非分配光ケーブル心線収納部材４０の上面を被覆するシートで外形は非分配光ケーブル心線収納部材４０の外形と同様となっており、柔軟性のある樹脂シートを使用している。
保護シート５０によって被覆されることにより、保守などの作業時に非分配光ケーブル心線収納部材４０を回動させても、内部に収納してある非分配光ケーブル心線Ｃが不意に飛び出てくることを防止できるため心線を傷める心配が無く作業効率を向上することができる。
【００３０】
次に、図６の収納トレイ７０について説明する。収納トレイ７０は、コネクタ収納ケース１０及びその周辺の光ケーブルを収納して覆うことにより、屋内だけでなく屋外でも設置することが可能となる。
【００３１】
続いて、本実施形態の心線の配線形態について図７を参照して説明する。図７は光ケーブルＡの終端での分配配線形態である。まず、分配光ケーブル心線Ｂの配線状態を説明する。図７（ａ）は分配する分配光ケーブル心線Ｂを配線した状態の図であり、説明のため非分配光ケーブル心線収納部材４０、保護シート５０、蓋体６０は図示していない。
光ケーブル把持部２４から光ケーブル心線受部２１へ引き込まれた光ケーブルＡの複数ある心線のうち分配するための分配光ケーブル心線Ｂを選別し、各分配光ケーブル心線Ｂを分配光ケーブル心線ガイド部２２に誘導されながらコネクタ収納部３０の各コネクタに接続される。このとき、分配光ケーブル心線ガイド部２２に設けられたガイド部２２ａ〜２２ｄは、光ケーブルＡと各コネクタとの位置関係によってそのガイド形状が異なって構成されており、配線時に各分配光ケーブル心線Ｂに無理な力がかからないよう配慮されている。
また、分配光ケーブル心線Ｂに余長がある場合、光ケーブル心線受部２１に設けられた光ケーブル心線余長収納部２３に掛け回すことによって余長部分が邪魔になって心線が断線するなどのトラブルを回避することができる。
さらに、分配光ケーブル心線Ｂが不要に移動することがないように、各部に設けられた舌片部２６で把持することにより各心線が絡まったりすることを防止できる。
【００３２】
次に、非分配光ケーブル心線Ｃの配線状態を説明する。図７（ｂ）は分配しない非分配光ケーブル心線Ｃを配線した状態の図であり、説明のため保護シート５０、蓋体６０は図示していない。
図のように左側の光ケーブル把持部２４から光ケーブル心線受部２１へ引き込まれた光ケーブルＡの複数ある心線のうち分配しない非分配光ケーブル心線Ｃを、まず、光ケーブル心線受部２１に設けられた光ケーブル心線余長収納部２３の右外周面に沿って左回りに掛け回し、非分配光ケーブル心線Ｃの向きを左向きにする。
【００３３】
そして、非分配光ケーブル心線Ｃを上部に積層された非分配光ケーブル心線収納部材４０の開口部４２より非分配光ケーブル心線収納部材４０側へ引き出す。引き出された非分配光ケーブル心線Ｃは、非分配光ケーブル心線受部４３や舌片部４４によって許容曲率半径を確保しながら収納される。なお、非分配光ケーブル心線Ｃが複数本ある場合、ひとまとめにまとめて引き回しても良い。
これによって、使用中の分配光ケーブル心線Ｂと未使用の非分配光ケーブル心線Ｃを明確に分離することができるので、管理が簡便になるし、新たに光ケーブル心線を分配する際にも非分配光ケーブル心線収納部材４０に収納されている光ケーブル心線を使用すれば良いので作業の効率化に貢献することができる。
【００３４】
また、コネクタ収納ケース１０は光ケーブルＡの終端での使用だけでなく、中間部分での分岐の際のコネクタ収納ケースとしても使用することができる。中間部分での配線作業の手順を図８及び図９を参照して説明する。なお、図８においては、光ケーブル心線を直接分配光ケーブル心線Ｂとして配線するのではなく、一度非分配光ケーブル心線Ｃとして非分配光ケーブル心線収納部材４０に収納する作業状態を示す。図９では光ケーブル心線収納部材４０に収納された光ケーブル心線を分配するための分配光ケーブル心線Ｂとしてコネクタ収納部３０へ配線する作業状態を示す。
【００３５】
図８（ａ）は配線前の状態であり、光ケーブルＡは分岐をしたい部分の外披を除去して光ケーブル心線がむき出しになった状態である。光ケーブルの外被除去は最小曲げ半径や接続作業の作業効率を考えて、十分長い距離除去される。
【００３６】
次に、図８（ｂ）のように、光ケーブルＡの外被を除去した両端の外被を光ケーブル把持部２４に嵌合して把持させる。外被除去部分が長いので、図のように光ケーブル心線は大きくたわむほどの長さとなっている。また、これと併せて非分配光ケーブル心線収納部材４０をヒンジ部４１を中心に上方へ回動させて、下層の光ケーブル心線余長収納部２３での作業領域を確保する。
【００３７】
次に、図８（ｃ）のように、非分配光ケーブル心線Ｃを光ケーブル心線余長収納部２３に１周ほど巻き取る。この際、本体２０に設けられた舌片部２６に掛け留めながら作業すると非分配光ケーブル心線Ｃが絡まることなく快適に作業することができる。
また、非分配光ケーブル心線収納部材４０を回動させて光ケーブル心線余長収納部２３での作業領域を広く確保することができるので、不意に光ケーブル心線を傷つけたり、作業が煩雑になることを防止することができる。
【００３８】
次に、図８（ｄ）のように、非分配光ケーブル心線収納部材４０を回動させて光ケーブル心線余長収納部２３上に積層する。その後、下層にある非分配光ケーブル心線Ｃをこの図では左側の開口部４２より非分配光ケーブル心線収納部材４０上面へ引き出し非分配光ケーブル心線受部４３に数回巻き取る。巻き取りの際に舌片部４４に掛け留めながら作業すると、非分配光ケーブル心線収納部材４０を再度回動させたりする場合に非分配光ケーブル心線Ｃがずれることがないので非常に便利である。
数回巻き取った後、この図では右側の開口部４２から下層の光ケーブル心線余長収納部２３へ引き回す。
下層へ配線した非分配光ケーブル心線Ｃを図８（ｅ）のように再度光ケーブル心線余長収納部２３で巻き取ると光ケーブル心線に負担を掛けずに配線することができる。
【００３９】
図８のように、本発明のコネクタ収納ケースは、光ケーブル心線が切断されていない心線でも効率的に非常にコンパクトに収納することができ、作業も簡便にすることができるものである。
【００４０】
また、光ケーブル心線を引き出して敷設する場合には、図９のような手順で簡便に作業することができる。すなわち、図９（ａ）のようにまず、分配光ケーブル心線Ｂを選定した後、図９（ｂ）のように、選定した分配光ケーブル心線Ｂを非分配光ケーブル心線収納部材４０から引き出して所定の位置で切断し、図９（ｃ）のように、非分配光ケーブル心線収納部材４０を回動させて下層の光ケーブル心線余長収納部２３へ心線を引き回し、分配光ケーブル心線ガイド部２２に沿ってコネクタ収納部３０のコネクタへ接続すればよい。
【００４１】
このように、非分配光ケーブル心線Ｃを本体とは別の非分配光ケーブル心線収納部材４０に収納しているので、その後の光ケーブル心線の分配作業が非常に簡便で、心線の保護にも貢献することができる。
【産業上の利用可能性】
【００４２】
本発明の活用例としては、光ケーブルを各サービスエリアに分配するためのものであり、特に、光ケーブルの終端での光ケーブル心線の分配のために使用される。また、局側からの光ケ−ブルを引き込み分配する大型のスプリッタ装置に組み込まれて使用されたり、局側からの光ケ−ブルをコネクタ収納ケースを介して光通信の各サービスエリアに分配して使用される。
【符号の説明】
【００４３】
Ａ  光ケーブル
Ｂ  分配光ケーブル心線
Ｃ  非分配光ケーブル心線
１０  コネクタ収納ケース
２０  本体
２１  光ケーブル心線受部
２２  分配光ケーブル心線ガイド部
２３  光ケーブル心線余長収納部
２４  光ケーブル把持部
２５  ヒンジ受部
２６  舌片部
３０  コネクタ収納部
３１  引き込み口
４０  非分配光ケーブル心線収納部材
４１  ヒンジ部
４２  開口部
４３  非分配光ケーブル心線受部
４４  舌片部
５０  保護シート
６０  蓋体
７０  収納トレイ
【図１】
0005902925.tif 000002
【図２】
0005902925.tif 000003
【図３】
0005902925.tif 000004
【図４】
0005902925.tif 000005
【図５】
0005902925.tif 000006
【図６】
0005902925.tif 000007
【図７】
0005902925.tif 000008
【図８】
0005902925.tif 000009
【図９】
0005902925.tif 000010
【図１０】
0005902925.tif 000011